(57)【特許請求の範囲】
【請求項１】
変圧器を収納した盤本体の前面と底面に前面吸気ファンと底面吸気ファンを設けるとともに、天井に排気ファンを設け、前記前面吸気ファンと底面吸気ファンにより前記盤本体内に吸入した外気で前記変圧器を冷却したのち前記排気ファンにより前記盤本体外に放出する風冷式変圧器において、
前記前面吸気ファンおよび前記底面吸気ファンは、前記変圧器の台座上に取外し可能に取付けられ、
前記底面吸気ファンは、前記前面吸気ファンの背面側に配置されていて、前記前面吸気ファンを取り外した跡の空スペースを利用して前記盤本体の前面側に取り出し可能になっていることを特徴とする風冷式変圧器。
【請求項２】
前記前面吸気ファンは、前記盤本体内に配置された前面ダクトの前面位置に揃えて配置されているとともに、前記盤本体内には、前記底面吸気ファンにより吸入した外気を前記変圧器の背面に導く背面ダクトを設けたことを特徴とする請求項１に記載の風冷式変圧器。
【請求項３】
前記前面吸気ファンおよび前記底面吸気ファンは、それぞれ据付プレート上に取り付けられ、該据付プレートは、ネジによって支持フレームに取り付けられ、該支持フレームは、ネジによって前記台座上に取り付けられていることを特徴とする請求項１又は２に記載の風冷式変圧器。
【請求項４】
前記支持フレームは、複数の前面吸気ファンを支持していることを特徴とする請求項３に記載の風冷式変圧器。
【発明の詳細な説明】
【技術分野】
【０００１】
本発明は、変圧器を収納した盤本体に吸気ファンと排気ファンを設け、前記吸気ファンにより前記盤本体内に吸入した外気で前記変圧器を冷却したのち前記排気ファンにより前記盤本体外に放出する風冷式変圧器に関するものである。
【背景技術】
【０００２】
風冷式変圧器として、図４に示すように、変圧器１０２を収納した盤本体１０３の前面に吸気ファン（以下、前面ファン）１０４を設けるとともに、天井に排気ファン１０５を設け、前面ファン１０４により盤本体１０３内に吸入した外気で変圧器１０２を冷却した後に外気を排気ファン１０５により盤本体１０３外に放出する風冷式変圧器１０１が知られている。１０６は、前面ファン１０４により盤本体１０３内に吸入した外気を効果的に変圧器２に当てるための風ガイドである。
【０００３】
上記風冷式変圧器１０１は、変圧器１０２の前面側を効果的に冷却することができるが変圧器１０２の背面側を効果的に冷却することが困難である。
【０００４】
そこで、図５（Ａ），（Ｂ）に示すように、盤本体１０３の背面にも吸気ファン（以下、背面ファン）１０７を設け、変圧器１０２の前面及び背面の両面から変圧器１０２を効果的に冷却できるようにした風冷式変圧器も開発されている。（盤本体の前面と背面に吸気ファンを設けたものとして、例えば、特許文献１）。
【０００５】
また、風冷式変圧器として、図６に示すように、変圧器１０２の床１０８の下部に冷却ファン１０９を取付け、吸気口１１０から吸入した冷却風を床上に吹き上げ、吹き上げた冷却風をダクト１１１で変圧器１０２に当てて冷却する風冷式変圧器も開発されている。（例えば、特許文献２）。
【先行技術文献】
【特許文献】
【０００６】
【特許文献１】特開平０７−５７９４０号公報
【特許文献２】特開平０９−８４２２５号公報
【発明の概要】
【発明が解決しようとする課題】
【０００７】
ところで、図５に示した、盤本体１０３の前面に前面ファン１０４を設け、背面に背面ファン１０６を設け、天井に排気ファン１０５を設けた風冷式変圧器には次に述べるような問題点があった。
（１）前面ファン１０４や排気ファン１０５は、フロント側からのメンテナンス（以下、フロントメンテナンス）を行うことが容易であるが、背面ファン１０６は、フロントメンテナンスを行うことが容易でない。
（２）変圧器１０２を盤本体１０３から引き出して、背面ファン１０６をフロントメンテナンスすることも可能であるが、変圧器１０２は重量が重いために、変圧器１０２を引き出す作業は容易でない。
（３）変圧器１０２を盤本体１０３から引き出さずに、背面ファン１０６のフロントメンテナンスを行なうために、図５に示す変圧器１０２と盤本体１０３の間の隙間Ｇを大きくとり、この隙間Ｇから作業員が変圧器１０２の背面側に回りこんで、背面ファン１０６のメンテナンスを行なうことも考えられるが、そのためには盤本体１０３の横幅Ｗを大きくしなければならず、風冷式変圧器を小型化する上での障害になる。
【０００８】
また、図６に示した、変圧器１０２の床下部１０８に冷却ファン１０９を取付けて床下から冷却風を吹き上げて変圧器１０２を冷却する方式の風冷式変圧器は、冷却ファン１０９が変圧器１０２の床１０８の下部の狭い空間に配置されているために冷却ファン１０９のメンテナンスや取り付けや取外しが面倒であるという問題点があった。
【０００９】
本発明は、上記従来の問題点を解決し、小型化が容易で、かつフロントメンテナンスも容易に行うことのできる風冷式変圧器を提供することを目的になされたものである。
【課題を解決するための手段】
【００１０】
請求項１の発明は、変圧器を収納した盤本体の前面と底面に前面吸気ファンと底面吸気ファンを設けるとともに、天井に排気ファンを設け、前記前面吸気ファンと底面吸気ファンにより前記盤本体内に吸入した外気で前記変圧器を冷却したのち前記排気ファンにより前記盤本体外に放出する風冷式変圧器において、
前記前面吸気ファンおよび前記底面吸気ファンを、前記変圧器の台座上に取外し可能に取付けるとともに、前記底面吸気ファンを、前記前面吸気ファンの背面側に配置し、前記前面吸気ファンを取り外した跡の空スペースを利用して盤本体の前面側に取り出し可能にした。
【００１１】
請求項２の発明は、請求項１に記載の風冷式変圧器において、前記前面吸気ファンを、前記盤本体内に配置された前面ダクトの前面位置に揃えて配置するとともに、前記盤本体内に前記底面吸気ファンにより吸入した外気を前記変圧器の背面に導く背面ダクトを設けた。
【００１２】
請求項３の発明は、請求項１又は２に記載の風冷式変圧器において、前記前面吸気ファンおよび前記底面吸気ファンを、それぞれ据付プレート上に取り付け、該据付プレートを、ネジによって支持フレームに取り付け、該支持フレームを、ネジによって前記台座上に取り付けた。
【００１３】
請求項４の発明は、請求項３に記載の風冷式変圧器において、前記支持フレームに、複数の前面吸気ファンを取り付けた。
【発明の効果】
【００１４】
（１）請求項１の風冷式変圧器は、前面吸気ファンについてはフロントメンテナンスを行なうことが可能なことは勿論のこと、底面吸気ファンのフロントメンテナンスも、前面吸気ファンを取り外して、その跡の空スペースを利用して、底面吸気ファンを盤本体の前面側に引き出すことにより容易に行うことができる。
（２）請求項２の風冷式変圧器は、前記前面吸気ファンを、前記盤本体内に配置された前面ダクトの前面位置に揃えて配置したので、底面吸気ファンは、特許文献１のように、盤本体外に突出させずにすむ。また、底面吸気ファンにより吸入した外気を背面ダクトで変圧器の背面側に導くので、変圧器を背面側からも効果的に冷却することができる。
（３）請求項３の風冷式変圧器は、前面吸気ファンの支持フレームへの取り付け、取り外し及び支持フレームの台座への取り付け、取り外しをネジによって容易に行うことができる。同様に、底面吸気ファンの支持フレームへの取り付け、取り外し及び支持フレームの台座への取り付け、取り外しをネジによって容易に行うことができる。
（４）請求項４の風冷式変圧器は、複数の前面吸気ファンを全て支持フレームに取り付けたので、全ての前面吸気ファンを支持フレームと共に一挙に台座部から取り外すことができる。
【図面の簡単な説明】
【００１５】
【図１】本発明の風冷式変圧器の略示的斜視図。
【図２】図１の略示的側面図。
【図３】図１のＡ−Ａ断面図。
【図４】従来例の略示的正面図。
【図５】他の従来例を示し、（Ａ）は略示的正面図、（Ｂ）は略示的側面図。
【図６】他の従来例の略示的正面図。
【発明を実施するための形態】
【００１６】
以下、図面を参照して本発明の実施の形態を説明する。図１は風冷式変圧器１の略示的斜視図、図２は図１の略示的側面図、図３は図１のＡ−Ａ断面図である。
【００１７】
風冷式変圧器１は、複数の変圧器２ａ，２ｂ，２ｃを収納した盤本体３の前面側の前記各変圧器２ａ，２ｂ，２ｃに対応する位置に設けられた複数の吸気ファン（以下、前面ファン）４ａ，４ｂ，４ｃと、これら前面ファン４ａ，４ｂ，４ｃにより吸入された外気を前記変圧器２ａ，２ｂ，２ｃの前面側に導く前面ダクト（図示省略）と、盤本体３の底面側に設けられた吸気ファン（以下、底面ファン）５と、該底面ファン５により吸入された外気を変圧器２ａ，２ｂ，２ｃの背面側に導く背面ダクト６と、盤本体３の天井に設けた排気ファン７を備えている。
【００１８】
前面ファン４ａ，４ｂ，４ｃの前面位置は、前面ダクトの前面位置に揃えられていて、前面ファン４ａ，４ｂ，４ｃは、前面ダクトの前面位置よりも盤本体３の前面側に出っ張ることのないようになっている。
【００１９】
そして、前面ファン４ａ，４ｂ，４ｃおよび底面ファン５により盤本体３内に吸入された外気は、前面ダクトおよび背面ダクト６により変圧器２ａ，２ｂ，２ｃの前面側と背面側に導かれて、変圧器２ａ，２ｂ，２ｃの前面側および背面側から効果的に冷却した後に、排気ファン７により盤本体３の外部に放出される。
【００２０】
変圧器２ａ，２ｂ，２ｃの上部には、盤本体３内に吸入された外気をより効果的に変圧器２に当てるための風ガイド８が設けられている。また、変圧器２ａ，２ｂ，２ｃの下部は、台座９上に支持されている。
【００２１】
台座９は、変圧器２ａ，２ｂ，２ｃの下部を支持している台座本体部９ａと、該台座本体部９ａの両端部に設けられた一対の脚部９ｂ，９ｂにより略コ字状に形成されている。
【００２２】
一対の脚部９ｂ，９ｂは、ボルト１０によって盤本体３の床板に固定可能になっている。また、一対の脚部９ｂ，９ｂの下部には、ボルト１１によって車輪支持体１２が取り付けられている。車輪支持体１２の前後の端部には車輪１３が取り付けられていて、変圧器２ａ，２ｂ，２ｃは走行移動可能になっている。
【００２３】
車輪支持体１２の前面側の端部１２ａ上には前面ファン４ａ，４ｂ，４ｃが配置され、車輪支持体１２の背面側の端部１２ｂ上には背面ダクト６が配置され、前面ファン４ａ，４ｂ，４ｃと背面ダクト６の間に底面ファン５が配置されている。
【００２４】
一対の脚部９ｂ，９ｂの間には、前面ファン４ａ，４ｂ，４ｃを取り付ける前面ファン支持フレーム（以下、第１フレーム）１４および底面ファン５を取り付ける底面ファン支持フレーム（以下、第２フレーム）１５が設けられている。
【００２５】
図２に示すように、第１フレーム１４は、前面ファン４ａ，４ｂ，４ｃを載置するファン載置部１４ａと、該ファン載置部１４ａの一端部を直角に折り曲げることにより形成されたファン位置決め固定部１４ｂとを備えている。
【００２６】
ファン位置決め固定部１４ｂは、後記する前面ファン４ａ，４ｂ，４ｃの背面側に設けたボス１８を挿入するボス挿入穴１４ｃを備えている。
【００２７】
図３に示すように、第１フレーム１４は、４本の第１フレーム固定ネジ１６により台座９上に取り付けられている。
【００２８】
図２に示すように、前面ファン４ａ，４ｂ，４ｃは、下端にそれぞれ据付プレート１７を有し、背面側に前記ファン位置決め固定部１４ｂのボス挿入穴１４ｃに挿入するボス１８を有している。
【００２９】
前面ファン４ａ，４ｂ，４ｃは、前記ボス１８をボス挿入穴１４ｃに挿入することにより位置決めされた状態で据付プレート１７を据付プレート固定ネジ１９（図３参照）でネジ止めすることによって第１フレーム１４上に取り付けられている。
【００３０】
また、図２に示すように、第２フレーム１５は、底面ファン５を載置するファン載置部１５ａと、該ファン載置部１５ａの一端部を直角に折り曲げることにより形成されたファン位置決め固定部１５ｂとを備えている。
【００３１】
ファン位置決め固定部１５ｂは、後記する底面ファン５の背面側に設けたボス２２を挿入するボス挿入穴１５ｃを備えている。
【００３２】
図３に示すように、第２フレーム１５は、４本の第２フレーム固定ネジ２０により台座９上に取り付けられている。
【００３３】
図２に示すように、底面ファン５は、下面側に据付プレート２１を有し、背面側に前記ファン位置決め固定部１５ｂのボス挿入穴１５ｃに挿入するボス２２を有している。
【００３４】
底面ファン５は、ボス２２をボス挿入穴１５ｃに挿入することにより位置決めされた状態で据付プレート固定ネジ２３によって第２フレーム１５上に取り付けられている。
【００３５】
次に、風冷式変圧器１の作用について説明する。前面ファン４ａ，４ｂ，４ｃおよび底面ファン５を作動させると外気が盤本体３内に吸入され、吸入された外気は、前面ダクトおよび背面ダクト６により変圧器２の前面側と背面側に導かれて、変圧器２の前面側および背面側から効果的に冷却した後に、前記排気ファン７により盤本体３の外部に放出される。
【００３６】
そして、前面ファン４ａ，４ｂ，４ｃの修理やメンテナンスが必要になった場合には、据付プレート固定ネジ１９によるネジ止めを外して、前面ファン４ａ，４ｂ，４ｃを手前側に引くと、前記ボス１８がボス挿入穴１４ｃから抜け出て、前面ファン４ａ，４ｂ，４ｃは、第１フレーム１４から取り外されて、前面ファン４ａ，４ｂ，４ｃの修理やメンテナンスを容易に行うことが可能になる。なお、前面ファン４ａ，４ｃは、第１フレーム固定ネジ１６によって据付プレート１７が第１フレーム１４とともに台座９に共締めされているので、前面ファン４ａ，４ｃを取り外す場合には、前記第１フレーム固定ネジ１６によるネジ止めを外さなければならないのは勿論のことである。
【００３７】
また、底面ファン５の修理や取換え等が必要になった場合には、前面ファン４ａ，４ｂ，４ｃを取り付けた侭の状態で、前記４本の第１フレーム固定ネジ１６を外して台座９から第１フレーム１４を取り外して盤本体３の前面側に引き出す。
【００３８】
第１フレーム１４を引き出すと、そのあとに底面ファン５を取り外すのに必要な空スペースが発生する。そこで、据付プレート固定ネジ２３によるネジ止めを外して底面ファン５を手前側に引くと、前面ファン５の背面側に設けたボス２２がボス挿入穴１５ｃから抜け出で、底面ファン５は、第２フレーム１５から取り外された状態になる。そこで、前記空スペースを利用して、底面ファン５を盤本体３の外部に引き出して、底面ファン５の修理や取換え等を容易に行うことができる。
【符号の説明】
【００３９】
１…風冷式変圧器
２ａ，２ｂ，２ｃ…変圧器
３…盤本体
４ａ，４ｂ，４ｃ…前面ファン
５…底面ファン
６…背面ダクト
７…排気ファン
８…風ガイド
９…台座
１０，１１…ボルト
１２…車輪支持体
１３…車輪
１４…前面ファン支持フレーム（第１フレーム）
１５…底面ファン支持フレーム（第２フレーム）
１６…第１フレーム固定ネジ
１７，２１…据付プレート
１８，２２…ボス
１９，２３…据付プレート固定ネジ
２０…第２フレーム固定ネジ
【図１】
0005659928.tif 000002
【図２】
0005659928.tif 000003
【図３】
0005659928.tif 000004
【図４】
0005659928.tif 000005
【図５】
0005659928.tif 000006
【図６】
0005659928.tif 000007